(57)【要約】【課題】例えば建造物の内部や地下街への開口を容易に閉塞することが可能な止水装置を提供すること。【解決手段】止水装置１０は、止水シート１１と、弾性部材１２と、回転部材２４と、軸芯２３と、位置変更部２６と、を備える、止水シート１１は、シート状である。弾性部材１２は、止水シート１１の端部に沿って配置されている。回転部材２４は、止水シート１１が固定されている。止水シート１１は、所定方向を軸として回転部材２４を回転可能に支持する。位置変更部２６は、回転部材２４の位置を軸に沿って変更する。【選択図】図６
2019210730.tif 000002
【特許請求の範囲】
【請求項１】
シート状の止水部材と、
前記止水部材の端部に沿って配置された弾性部材と、
前記止水部材が固定され、前記止水部材を巻き回し可能な回転部材と、
所定方向を軸として前記回転部材を回転可能に支持する支持部材と、
前記回転部材の位置を前記軸に沿って変更する位置変更部と、を備えた、
止水装置。
【請求項２】
前記位置変更部は、前記回転部材を、前記止水部材を前記回転部材に巻き回す若しくは前記回転部材から引き出す際の第１位置と、水の侵入を防ぐように前記止水部材を設置する際の第２位置との間で変更し、
前記第１位置は、前記第２位置よりも上方である、
請求項１に記載の止水装置。
【請求項３】
前記回転部材を前記第１位置において固定する位置固定部を更に備えた、
請求項２に記載の止水装置。
【請求項４】
前記回転部材は、
前記支持部材の周囲に配置された円筒部と、
前記円筒部の端に配置された端部と、を有し、
前記端部には、前記支持部材の周囲に形成された円環状の端面が設けられ、
前記位置変更部は、前記端面に当接して配置されており、
前記位置変更部によって前記端部を前記軸方向に沿って移動することにより、前記回転部材の位置が変更される、
請求項１〜３のいずれか１項に記載の止水装置。
【請求項５】
前記位置変更部は、前記端面と当接する球状部材を有し、
前記球状部材は、前記回転部材の回転によって回転する、
請求項１〜４のいずれか１項に記載の止水装置。
【請求項６】
前記回転部材は、
前記支持部材の周囲に配置された円筒部と、
前記円筒部の内側に部分的に配置された当接部材と、を有し、
前記当接部材は、前記支持部材に当接している、
請求項１に記載の止水装置。
【発明の詳細な説明】
【技術分野】
【０００１】
本発明は、止水装置に関する。
【背景技術】
【０００２】
近年、ゲリラ豪雨や河川の氾濫等の緊急時等において、建造物や地下街への雨水の浸入を防止するために水の浸入口をシートで閉塞する止水装置が設けられている（例えば、特許文献１参照）。
【０００３】
特許文献１に示す止水装置では、防水シートが収納部に収納されており、緊急時には防水シートを収納部から取り出し、収納部の扉に設けられた保持部に防水シートの端を上方から差し込むことによって水の浸入口を閉塞するように防水シートを設置していた。
【先行技術文献】
【特許文献】
【０００４】
【特許文献１】特許第６１９０１６３号公報
【発明の概要】
【発明が解決しようとする課題】
【０００５】
しかしながら、上記従来の止水装置では、防水シートを収納部から取り出し、保持部に防水シートの端を差し込むという作業が必要であるため、水の浸入口を閉塞する際に手間がかかっていた。
【０００６】
本発明は、水の浸入口を容易に閉塞することが可能な止水装置を提供することを目的とする。
【課題を解決するための手段】
【０００７】
第１の発明にかかる止水装置は、止水部材と、弾性部材と、回転部材と、支持部材と、位置変更部と、を備える、止水部材は、シート状である。弾性部材は、止水部材の端部に沿って配置されている。回転部材は、止水部材が固定され、止水部材を巻き回し可能である。支持部材は、所定方向を軸として回転部材を回転可能に支持する。位置変更部は、回転部材の位置を軸に沿って変更する。
【０００８】
これにより、回転部材に巻き回された状態で配置されている止水部材を、水の浸入口を覆うように引き出した後、位置変更部を用いて設置面に向かって回転部材を移動させるだけで浸入口を閉塞することができる。すなわち、回転部材を設置面に向かって移動させることにより、回転部材に固定されている止水部材も設置面に向かって移動できるため、弾性部材の弾性力により止水部材と設置面の間を閉塞することができる。
【０００９】
また、止水部材および弾性部材の位置を設置面から離間させるように回転部材の位置を移動させることによって、止水部材を容易に引き出すことができ、また、止水部材を容易に回転部材に巻きつけることができる。
【００１０】
以上のように、緊急時に建造物や地下街への水の浸入口を容易に閉塞することができる。
【００１１】
第２の発明にかかる止水装置は、第１の発明にかかる止水装置であって、位置変更部は、回転部材を、止水部材を回転部材に巻き回す若しくは回転部材から引き出す際の第１位置と、水の侵入を防ぐように止水部材を設置する際の第２位置との間で変更する。第１位置は、第２位置よりも上方である。
【００１２】
これにより、回転部材を第１位置に配置した場合には、止水部材を回転部材に巻き回す若しくは回転部材から引き出す際における弾性部材と設置面の抵抗を低減できるため、容易に巻き回し若しくは引き出し作業を行うことができる。
【００１３】
第３の発明にかかる止水装置は、第２の発明にかかる止水装置であって、位置固定部を更に備える、位置固定部は、回転部材を第１位置において固定する。
【００１４】
これにより、回転部材および止水部材を第１位置で固定することができる。すなわち、止水部材を引き出す際若しくは巻き回す際に止水部材と設置面との間の摩擦を低減した状態を維持することができる。
【００１５】
第４の発明にかかる止水装置は、第１〜第３のいずれかの発明にかかる止水装置であって、回転部材は、円筒部と、端部と、を有する。円筒部は、支持部材の周囲に配置されている。端部は、円筒部の端に配置されている。端部には、支持部材の周囲に形成された円環状の端面が設けられている。位置変更部は、端面に当接して配置されている。位置変更部によって端部を軸方向に沿って移動することにより、回転部材の位置が変更される。
【００１６】
これにより、位置変更部によって端部を移動させることによって回転部材および止水部材の位置を変更することができる。
【００１７】
第５の発明にかかる止水装置は、第１〜第４のいずれかの発明にかかる止水装置であって、位置変更部は、端面と当接する球状部材を有する。球状部材は、回転部材の回転によって回転する。
【００１８】
これにより、回転部材を第１位置において回転させることができるため、容易に止水部材を引き出すことができる。
【００１９】
第６の発明にかかる止水装置は、第１の発明にかかる止水装置であって、回転部材は、円筒部と、当接部材と、を有する。円筒部は、支持部材の周囲に配置されている。当接部材は、円筒部の内側に部分的に配置されている。当接部材は、支持部材に当接している。
【００２０】
これにより、支持部材と回転部材の間の摩擦を低減することでき、容易に止水部材を引き出すことができる。
【発明の効果】
【００２１】
本発明によれば、例えば建造物の内部や地下街への水の浸入口を容易に閉塞することが可能な止水装置を提供することができる。
【図面の簡単な説明】
【００２２】
【図１】本発明にかかる実施の形態における止水装置の水の浸入口を閉塞した状態を示す全体斜視図。
【図２】図１の止水装置において止水シートを収納部に収納した状態を示す図。
【図３】図１の止水装置において止水シートを引き出した状態を示す図。
【図４】図１の止水シートを巻き回した状態を示す図。
【図５】図１の収納部を示す正面図。
【図６】図５のＡＡ´間の矢示断面図。
【図７】図５のＢＢ´間の矢示断面図。
【図８】（ａ）図１の止水装置における当接部材を示す平面図、（ｂ）当接部材の変形例を示す図。
【図９】図７の巻取り機構近傍の拡大図。
【図１０】図６の位置移動部および位置固定部を示す平面図。
【図１１】図６の矢印Ｄ方向に沿って位置移動部および位置固定部を視た図。
【図１２】（ａ）〜（ｃ）レバーの移動を説明するために図１１の矢印Ｈ方向に沿って位置固定部を見た図。
【図１３】扉が開いた状態における図５のＡＡ´間の矢示断面図。
【図１４】図１の止水シートを引き出す際の止水装置の状態を示す内部模式図。
【図１５】図１の止水シートを引き出した後に下方に移動させた際の止水装置の状態を示す内部模式図。
【発明を実施するための形態】
【００２３】
本発明にかかる実施の形態の止水装置１０について図面を参照しながら説明する。
＜１．構成＞
（止水装置１０の概要）
図１は、本実施の形態の止水装置１０の水の浸入口を閉塞した状態を示す全体斜視図である。本実施の形態の止水装置１０は、例えば、ゲリラ豪雨や河川の氾濫等の災害発生時に建造物や地下街等への雨水の浸入を防止する。
【００２４】
止水装置１０は、止水シート１１と、弾性部材１２と、収納部１３とを有する。止水シート１１は、未使用時には、図２に示すように、収納部１３に巻き回された状態で収納されている。使用時には、止水シート１１は、図３に示すように引き出される。
【００２５】
止水シート１１の第１端側には、図１に示すように、溝部材１０１に挿入される挿入ゴム１４が取り付けられている。この挿入ゴム１４が溝部材１０１に挿入され、その後、収納部１３に設けられている位置変更部２６によって止水シート１１は下方に向かって下げられる。
【００２６】
これによって、止水シート１１の下端に設けられている弾性部材１２が設置面Ｔと止水シート１１の間で圧縮されるため、止水シート１１と設置面Ｔの間が止水される。
【００２７】
以上のように、止水シート１１によって建造物や地下街への水の浸入口Ｅを閉塞することができる。
【００２８】
（止水シート１１）
止水シート１１（止水部材の一例）は、例えば、炭素繊維やガラス繊維を含む樹脂製の繊維強化シートである。止水シート１１は、図１に示すように、閉塞状態において浸水領域Ｓ１と所定領域Ｓ２とを隔てる壁面を形成する。
【００２９】
なお、止水シート１１を形成する樹脂としては、例えば、ポリエチレン樹脂、ポリプロピレン樹脂、ナイロン樹脂、ポリメタクリル樹脂、ポリ塩化ビニル樹脂、ポリカーボネート樹脂等の熱可塑性樹脂、あるいは、ウレタン樹脂、ビニルエステル樹脂、エポキシ樹脂等の熱硬化性樹脂を用いることができる。
【００３０】
図４は、止水シート１１を巻き回した状態を示す図である。止水シート１１は、図４に示すように、巻き回された状態で収納部１３に収納されている。なお、図４では、図１とは上下が逆に図示されている。
【００３１】
なお、詳しくは後述するが、止水シート１１は、後述する回転部材２４によって、第１位置Ｐ１と第２位置Ｐ２の２つの高さ位置をとることができる。第１位置Ｐ１は、止水シート１１を引き出し際もしくは巻き取る際の止水シート１１の位置である。第２位置Ｐ２は、引き出された止水シート１１によって止水を行うための位置である。第１位置Ｐ１は、第２位置Ｐ２よりも上方である。
【００３２】
（弾性部材１２）
弾性部材１２は、止水シート１１の下端部と設置面Ｔ（図１参照）との間の隙間を埋めるために、止水シート１１の下端部に沿って設けられたゴム製の部材である。弾性部材１２は、止水シート１１が水の浸入口Ｅを閉塞し、第２位置Ｐ２に配置された状態において、設置面Ｔに対して押圧されるように設置される。
【００３３】
これにより、止水シート１１と設置面Ｔとの間の隙間から水が所定領域Ｓ１側へ浸水してくることを効果的に防止することができる。
【００３４】
（収納部１３）
図５は、収納部１３の正面図である。図６は図５のＡＡ´間における矢示断面図である。図７は、図５のＢＢ´間における矢示断面図である。
【００３５】
収納部１３は、筐体部２１と、扉２２と、軸芯２３と、回転部材２４と、巻取り機構２５と、位置変更部２６と、位置固定部２７と、を有する。
【００３６】
（筐体部２１、扉２２）
筐体部２１は、図１に示すように、壁面に埋め込まれるように設置されている。筐体部２１は、図２に示すように、略直方体形状の箱であって、巻き回された状態の止水シート１１が収納される。また、筐体部２１には、側面の開口部分を覆う扉２２が開閉可能な状態で取り付けられている。
【００３７】
扉２２は、止水シート１１を引き出す際、あるいは止水シート１１を巻き取って筐体部２１内に収納する際に開けられる。
【００３８】
（軸芯２３）
軸芯２３（支持部材の一例）は、図７に示すように、その軸方向が上下方向に沿うように筐体部２１の内部に配置されている。軸芯２３は、その上端が筐体部２１の上面２１ａに固定されており、その下端が底面２１ｂに固定されている。
【００３９】
（回転部材２４）
回転部材２４は、軸芯２３の周囲に配置されており、軸芯２３の軸方向（本実施の形態では上下方向）を中心として回転する。回転部材２４には、止水シート１１の第２端端が固定されている。なお、第２端は、挿入ゴム１４が設けられている第１端とは反対側の端である。
【００４０】
回転部材２４は、図７に示すように、円筒部３１と、端部３２と、当接部材３３と、とを有する。
【００４１】
円筒部３１は、円筒状であって軸芯２３の周囲に配置され、止水シート１１が巻き付けられる部分である。
【００４２】
端部３２は、円筒部３１の上端に設けられている。端部３２は、円盤部３２１と、ギヤ部３２２とを有する。円盤部３２１は、円筒部３１よりも外側に突出して形成されている。円盤部３２１の下面３２１ａ（端面の一例）は、軸芯２３に対して垂直に形成されている。この下面３２１ａには、後述する位置変更部２６が当接する。
【００４３】
ギヤ部３２２は、円盤部３２１の上側に隣接して設けられている。ギヤ部３２２は、歯すじが軸芯２３の軸方向に沿って形成されている。ギヤ部３２２は、後述する巻取り機構２５のギヤと噛み合っており、巻取り機構２５を動かすことによって回転する。これにより円筒部３１も回転し、止水シート１１を巻き取ることができる。
【００４４】
なお、回転部材２４は、後述する位置変更部２６によって、軸芯２３に沿って第１位置Ｐ１（図７の実線）と第２位置Ｐ２（図７の点線）の間を移動する。第１位置Ｐ１は、第２位置Ｐ２の上側に位置する。
【００４５】
回転部材２４が第１位置Ｐ１と第２位置Ｐ２の間を上下移動すると、ギヤ部３２２も上下移動するが、ギヤ部３２２と常に接触するように後述する第３伝達ギヤ４６が第２伝達軸４４に沿って上下動する。これにより、回転部材２４の移動にかかわらずギヤ部３２２は巻取り機構２５のギヤと常に接触している。
【００４６】
当接部材３３は、円筒部３１の内側の一部に設けられている。当接部材３３は、円筒部３１の内側に固定されている。当接部材３３は、図７では、円筒部３１の上部と下部に設けられている。
【００４７】
当接部材３３は、軸芯２３に当接する。このように、円筒部３１の内側の一部に当接部材３３を設けることにより、回転部材２４が回転する際の軸芯２３との摩擦を低減することができる。
【００４８】
図８（ａ）は、当接部材３３の平断面を示す図であり、図７のＤＤ´間の矢示断面図である。本実施の形態では、当接部材３３は、図８（ａ）に示すように、円筒部３１の一周に渡って設けられているが、図８（ｂ）に示すように、円筒部３１の周方向における一部に円弧状に当接部材３３´が設けられていてもよい。
【００４９】
（巻取り機構２５）
巻取り機構２５は、ギヤ部３２２を回転させる。図９は、図７の巻取り機構２５近傍の拡大図である。巻取り機構２５は、ハンドル４１と、第１伝達軸４２と、第１伝達ギヤ４３と、第２伝達軸４４と、第２伝達ギヤ４５と、第３伝達ギヤ４６とを有する。
【００５０】
ハンドル４１は、図５に示すように、扉２２の上側に設けられている。止水シート１１を回転部材２４に巻き取る際に作業者がハンドル４１を回転する。
【００５１】
第１伝達軸４２は、回転可能に筐体部２１に支持されている。第１伝達軸４２は、その軸方向が水平に配置されている。第１伝達軸４２の一端は筐体部２１の外側に配置されており、ハンドル４１に接続されている。第１伝達軸４２の他端は、筐体部２１の内側に配置されている。
【００５２】
第１伝達ギヤ４３は、傘歯車であって、第１伝達軸４２の筐体部２１内に配置されている他端に固定されている。
【００５３】
第２伝達軸４４は、上下方向に沿って、回転可能に筐体部２１に支持されている。第２伝達軸４４は、その上端において筐体部２１の上面２１ａの内側に支持されている。
【００５４】
第２伝達ギヤ４５は、第２伝達軸４４の上部近傍に固定されている。第２伝達ギヤ４５は、傘歯車であって、第１伝達ギヤ４３と噛み合っている。
【００５５】
第３伝達ギヤ４６は、第２伝達ギヤ４５の下側において、第２伝達軸４４に配置されている。第３伝達ギヤ４６は、その歯すじが第２伝達軸４４の軸方向に沿って形成されている。
【００５６】
第３伝達ギヤ４６は、第２伝達軸４４の回転方向に対しては固定されており、第２伝達軸４４の回転とともに回転するが、第２伝達軸４４に対して上下方向には移動可能である。これにより、第３伝達ギヤ４６は、ギヤ部３２２の上下移動とともに移動する。
【００５７】
ハンドル４１を回転すると、第１伝達軸４２が回転し、第１伝達ギヤ４３も回転する。第１伝達ギヤ４３の回転により、第２伝達ギヤ４５も回転し、第２伝達ギヤ４５が固定されている第２伝達軸４４も回転する。
【００５８】
第２伝達軸４４の回転により、第３伝達ギヤ４６が回転し、第３伝達ギヤ４６と噛み合っているギヤ部３２２が回転する。これにより回転部材２４が回転し、止水シート１１が回転部材２４に巻き取られる。
【００５９】
（位置変更部２６）
位置変更部２６は、端部３２の下面３２１ａに当接することにより、回転部材２４を第１位置Ｐ１と第２位置Ｐ２の間で移動する。図１０は、図６から位置変更部２６および位置固定部２７を抜き出した平面図である。図１１は、図６の矢印Ｄ方向に沿って位置変更部２６および位置固定部２７を見た側面図である。
【００６０】
位置変更部２６は、レバー５１と、レバー支持部５２と、先端部５３と、を有する。レバー５１は、上下方向に回動可能にレバー支持部５２によって筐体部２１に支持されている。レバー５１の作業者によって把持される把持部５１１は、図２に示すように、扉２２の内側に配置されている。すなわち、把持部５１１は、扉２２を開放した際に、作業者によって把持しやすい位置に配置されている。
【００６１】
レバー５１の中間部には球状部材５１２が配置されている。
レバー支持部５２は、筐体部２１に固定されている支持フレーム２１１に固定されている。支持フレーム２１１は、概ね水平に配置されている。レバー支持部５２は、下方に向かって設けられており、その下端には、レバー５１の球状部材５１２が嵌められたスタッド５２１が設けられている。スタッド５２１と球状部材５１２によって、いわゆるボールジョイントが形成されており、レバー５１は、スタッド５２１を中心に、上下方向に回動する（矢印Ｆ参照）。
【００６２】
先端部５３は、平面視においてＵ字形状に形成されており、レバー５１の先端５１ａに接続されている。レバー５１の先端５１ａは、球状部材５１２を基準にして把持部５１１と反対側の端である。先端部５３は、接続部５３１と、一対の突出部５３２と、一対のスタッド５３３と、一対のボールベアリング５３４（球状部材の一例）とを有する。接続部５３１は、レバー２６１の長手方向に対して略垂直に形成され、レバー２６１の先端に接続されている。一対の突出部５３２は、接続部２６３の両端からレバー２６１の長手方向と平行に突出している。スタッド５３３は、各々の突出部５３２の上面５３２ａに固定されており、上方に向かって配置されている。ボールベアリング５３４は、スタッド５３３の上端に設けられており、上述した回転部材２４の下面３２１ａに下方から当接している。
【００６３】
このように、ボールベアリング５３４によって端部３２を支持することによって、回転部材２４が第１位置Ｐ１に配置された状態において、位置変更部２６との摩擦を低減して回転部材２４は回転することができる。
【００６４】
また、たとえば、作業者がレバー５１の把持部５１１を上方（矢印Ｆ２参照）に移動させると、スタッド５２１を支点にして、先端部５３が下方（矢印Ｇ２参照）に移動する。これにより、先端部５３に下方から支持されている端部３２も下方に移動するため、回転部材２４も下方に移動し、回転部材２４は第２位置Ｐ２に配置される。図１１では、把持部５１１を上方に回動した状態の位置変更部２６が二点鎖線で示されている。
【００６５】
一方、たとえば、作業者がレバー５１の把持部５１１を下方（矢印Ｆ１参照）に移動させると、スタッド５２１を支点にして、先端部５３が上方（矢印Ｇ１参照）に移動する。これにより、先端部５３に下方から支持されている端部３２も上方に移動するため、回転部材２４も上方に移動し、回転部材２４は第１位置Ｐ１に配置される。
【００６６】
（位置固定部２７）
位置固定部２７は、回転部材２４が第１位置Ｐ１または第２位置Ｐ２で保持されるように、位置変更部２６を固定する。
【００６７】
図１２（ａ）は、位置固定部２７を図１１のＨ方向に沿って視た図である。位置固定部２７は、レバー支持部５２と把持部５１１の間に配置されている。位置固定部２７は、固定板６１と、スライド板６２と、保持ボルト６３とを有する。
【００６８】
固定板６１は、上述した支持フレーム２１１に固定されている。固定板６１は、その主面が上下方向と平行になるように配置されている。また、固定板６１は、図１０に示す平面視において、レバー５１の長手方向に対して主面が略垂直になるように配置されている。固定板６１には、上下方向に沿って長孔６１１が形成されている。この長孔６１１にレバー５１が挿通されている。なお、固定板６１は、レバー支持部５２と把持部５１１の間に配置されている。
【００６９】
スライド板６２は、固定板６１に対して左右方向にスライド可能に固定板６１に保持されている。スライド板６２は、固定板６１と平行であって固定板６１に隣接して配置されている。
【００７０】
スライド板６２には、その下端６２ａから上方に向かって第１切り欠き部６２１と第２切り欠き部６２２が形成されている。第１切り欠き部６２１は、第２切り欠き部６２２よりも上方まで形成されている。なお、長孔６１１は、スライド板６２の下端６２ａよりも下方まで形成されている。また、スライド板６２の上端部には、左右方向に長孔６２３が形成されている。
【００７１】
保持ボルト６３は、本実施の形態では２つ設けられており、スライド板６２の長孔６２３を挿通して固定板６１に固定されている。
【００７２】
上記構成により、保持ボルト６３が長孔６１１内を移動するように、スライド板６２を固定板６１に対して左右方向（矢印Ｊ方向）に移動することができる。
【００７３】
図１２（ａ）の状態は、レバー５１が第１切り欠き部６２１に挿入されている状態を示す図である。図１２（ａ）に示す状態では、把持部５１１側が上方（図１１の矢印Ｆ１側）に位置しているため、回転部材２４は下方である第２位置Ｐ２に配置されている。
【００７４】
図１２（ａ）に示す状態から、把持部５１１を下方（矢印Ｆ１）方向に下げることによって、レバー５１を第１切り欠き部６２１から抜き出す。なお、固定板６１の長孔６１１には、レバー５１は常に挿通されている状態である。
【００７５】
レバー５１を第１切り欠き部６２１から抜き出した状態で、図１２（ｂ）に示すように、長孔６１１と第２切り欠き部６２２の位置が一致するように、スライド板６２を例えば左方向（矢印Ｊ１方向）に移動させる。
【００７６】
その後、レバー５１を上方（矢印Ｆ２）に移動させると、図１２（ｃ）に示すように、レバー５１は第２切り欠き部６２２の上端に当接して停止する。第２切り欠き部６２２の上端の位置は、第１切り欠き部６２１の上端の位置よりも下方に位置するため、図１２（ａ）の状態よりも先端部５３は上方（矢印Ｇ１方向）に移動することになり、回転部材２４は、第１位置Ｐ１に配置される。
【００７７】
上記と逆の手順により、スライド板６２を右方向（矢印Ｊ２参照）に移動し、レバー５１を第１切り欠き部６２１に移動した場合には、回転部材２４は第２位置Ｐ２に配置される。
【００７８】
このように、レバー５１を第１切り欠き部６２１に挿入した場合は、回転部材２４および止水シート１１は、その自重により下方に移動し、自重により回転部材２４および止水シート１１は、第２位置Ｐ２に保持される。
【００７９】
一方、レバー５１を第２切り欠き部６２２に挿入し、上端に当接させた場合には、回転部材２４および止水シート１１は、第２位置Ｐ２よりも上方の第１位置Ｐ１で保持される。
【００８０】
＜２．動作＞
次に、本発明にかかる実施の形態の止水装置１０から止水シート１１を引き出して設置および巻き回して収納する動作について説明する。図１３は、止水シート１１を引き出す際の止水装置１０の平面構成図である。図１３は、図５のＡＡ´間の矢示断面図である。
【００８１】
図１３に示すように、扉２２を開いた後、止水シート１１が引き出される。止水シート１１は、軸芯２３を平行に配置されたガイドローラ２８を介して引き出される。ガイドローラ２８は、筐体部２１の上面２１ａと底面２１ｂに回動可能に固定されている。
【００８２】
図１４は、止水シート１１を引き出す際の止水装置１０の状態を示す内部模式図である。止水シート１１を引き出す際には、図１４に示すように、回転部材２４は第１位置Ｐ１に配置されている。
【００８３】
すなわち、レバー５１が第２切り欠き部６２２に嵌り、先端部５３が上側（矢印Ｇ１参照）に位置しているため、端部３２ごと回転部材２４が上方の第１位置Ｐ１に位置している。
【００８４】
これにより、止水シート１１の下端部に設けられた弾性部材１２と設置面Ｔとの摩擦を低減できるため、止水シート１１を引き出しやすい。
【００８５】
止水シート１１が引き出された後、止水シート１１の挿入ゴム１４が溝部材に挿入される。その後、位置変更部２６の把持部５１１が操作され、図１５に示すように、止水シート１１が下方に移動される。
【００８６】
すなわちレバー５１を第２切り欠き部６２２から第１切り欠き部６２１に移動することにより、位置変更部２６の先端部５３が下方（矢印Ｋ）に下がり、回転部材２４が自重により下がり、第２位置Ｐ２に位置する。これにより、止水シート１１の下端部に設けられている弾性部材１２が設置面Ｔと止水シート１１の間で圧縮され、止水シート１１と設置面の間の止水性が確保される。
【００８７】
一方、止水シート１１を収納部１３に収納する際には、レバー５１を第１切り欠き部６２１から第２切り欠き部６２２に移動し、回転部材２４を第２位置Ｐ２から第１位置Ｐ１に移動する。そして、挿入ゴム１４を溝部材から引き出した後、ハンドル４１を回転することにより、回転部材２４が回転して、止水シート１１が回転部材２４に巻き取られる。巻取り完了後、扉２２を締めることによって、止水シート１１が収納部１３に収納される。
【００８８】
［他の実施形態］
以上、本発明の一実施形態について説明したが、本発明は上記実施形態に限定されるものではなく、発明の要旨を逸脱しない範囲で種々の変更が可能である。
【００８９】
（Ａ）
上記実施の形態では、止水シート１１はシート状の部材であるが、強度を確保するために、上下方向に沿って複数のリブが形成されていてもよい。複数のリブは、例えば、止水シート１１と同様の素材によって形成することができる。
【００９０】
なお、リブが形成された面は、浸水領域Ｓ１および所定領域Ｓ２にいずれの側に配置されていてもよいが、浸水領域Ｓ１側に配置する方が好ましい。これにより、浸水領域Ｓ１側の水位が上昇してきた場合でも、リブが形成された側の面において、水圧を抑えることができる。
【００９１】
（Ｂ）
上記実施の形態では、回転部材２４は、止水シート１１および回転部材２４の自重により第２位置Ｐ２に配置されているが、回転部材２４を第２位置Ｐ２においてロックする機構が設けられていてもよい。
【００９２】
（Ｃ）
上記実施の形態では、収納部３０が壁面に埋め込まれるように設置された例を挙げて説明した。しかし、本発明はこれに限定されるものではない。
【００９３】
例えば、ゲリラ豪雨や河川の氾濫等のおそれがある場所に収納部３０を持ち運んで、止水構造を設置するようにしてもよい。
【００９４】
（Ｄ）
上記実施形態では、収納部３０から引き出した止水シート１１の第１端側の挿入ゴム１４を、溝部材に挿入して固定する例を挙げて説明した。しかし、本発明はこれに限定されるものではない。
【００９５】
例えば、止水シートの第１端側を固定する手段として、専用の溝部材ではなく、既設のシャッタ溝を用いてもよい。
【産業上の利用可能性】
【００９６】
本発明の止水装置は、建造物の内部や地下街への水の浸入口を容易に閉塞することが可能な効果を奏し、浸水を防止するための手段として広く適用可能である。
【符号の説明】
【００９７】
１０      ：止水装置
１１      ：止水シート
１２      ：弾性部材
２３      ：軸芯
２４      ：回転部材
２６      ：位置変更部
【図１】
2019210730.tif 000003
【図２】
2019210730.tif 000004
【図３】
2019210730.tif 000005
【図４】
2019210730.tif 000006
【図５】
2019210730.tif 000007
【図６】
2019210730.tif 000008
【図７】
2019210730.tif 000009
【図８】
2019210730.tif 000010
【図９】
2019210730.tif 000011
【図１０】
2019210730.tif 000012
【図１１】
2019210730.tif 000013
【図１２】
2019210730.tif 000014
【図１３】
2019210730.tif 000015
【図１４】
2019210730.tif 000016
【図１５】
2019210730.tif 000017